(57)【要約】　　　（修正有）【課題】キャリッジの被装着部に２個以上の液体カートリッジを安定且つ確実に装着することのできる液体噴射装置を提供すること。【解決手段】記録用紙Ｐに記録を実行する記録実行手段１を備え、記録実行手段は、記録ヘッドを搭載し液体カートリッジ６ａ，６ｂが装着される被装着部を有するキャリッジ６１と、キャリッジを往復動させるキャリッジ駆動手段３とを備え、キャリッジは、その被装着部に液体カートリッジが装着されることにより液体カートリッジ内の液体が記録ヘッドから噴射可能となるように構成されて成る液体噴射装置であって、２個以上の液体カートリッジをその対応するそれぞれの位置に装着可能に構成された単一の液体カートリッジ用アダプタに装着保持された状態で、２個以上の液体カートリッジをキャリッジの被装着部に装着するように構成されていること。【選択図】図２
2004090449.tif 000002
【特許請求の範囲】
【請求項１】
被噴射媒体に液体噴射を実行する液体噴射実行手段を備え、該液体噴射実行手段は、液体噴射ヘッドを搭載し液体カートリッジが装着される被装着部を有するキャリッジと、該キャリッジを往復動させるキャリッジ駆動手段とを備え、
前記キャリッジは、その被装着部に液体カートリッジが装着されることにより当該液体カートリッジ内の液体が前記液体噴射ヘッドから噴射可能となるように構成されて成る液体噴射装置であって、
２個以上の液体カートリッジをその対応するそれぞれの位置に装着可能に構成された単一の液体カートリッジ用アダプタに装着保持した状態で、当該２個以上の液体カートリッジをキャリッジの前記被装着部に装着するように構成されていることを特徴とする液体噴射装置。
【請求項２】
請求項１において、液体カートリッジ用アダプタに装着保持された２個以上の液体カートリッジのキャリッジへの装着は、キャリッジ移動方向における一端側となる装置本体正面に設けられた開口部側に該キャリッジを位置させた状態で、該開口部からその奥に向かって挿入する動作を経て行われるように構成されていると共に、該２個以上の液体カートリッジは、一つが手前に位置し、その他はその奥側に順次位置する配置で装着される構成であることを特徴とする液体噴射装置。
【請求項３】
請求項２において、キャリッジの前記被装着部は、液体カートリッジ用アダプタに装着保持された２個以上の液体カートリッジが、前記開口部側に該キャリッジを位置させた状態で、該開口部からその奥に向かって挿入した位置から該挿入方向と交差する方向に移動した位置にあることを特徴とする液体噴射装置。
【請求項４】
請求項２または３において、前記キャリッジは、液体カートリッジ用アダプタに装着保持された２個以上の液体カートリッジが前記開口部側に該キャリッジを位置させた状態で、該開口部から挿入された状態で前記被装着部の方にスライド移動可能に形成され、該被装着部へのスライド移動動作および装着完了動作は、当該キャリッジが備える移動・装着装置によって行われるように構成されていることを特徴とする液体噴射装置。
【請求項５】
請求項４において、前記被装着部に液体供給針が立設され、液体カートリッジは当該液体カートリッジの液体出口部が前記液体供給針に差し込まれるように前記被装着部に押し付けられることにより、該被装着部への装着が完了する構成であることを特徴とする液体噴射装置。
【請求項６】
請求項４または５において、前記移動・装着装置は、一つの操作レバーをスライドさせることによって、先ず液体カートリッジ用アダプタに装着保持された２個以上の液体カートリッジを前記被装着部の方にスライド移動させるスライド移動部が作動し、次いで前記液体カートリッジを弾性的に押圧して被装着部への装着を完了させる弾性押圧部が作動する構成であることを特徴とする液体噴射装置。
【請求項７】
請求項１から６のいずれか１項に記載された液体カートリッジ用アダプタ。
【発明の詳細な説明】
【０００１】
【発明の属する技術分野】
本発明は、液体のインクをそのヘッドから吐出（噴射）して被記録（被噴射）媒体に記録するインクジェット式記録装置などの液体噴射装置および該装置に用いられる液体カートリッジ用アダプタに関するものである。
【０００２】
【従来の技術】
液体噴射装置の一例であるインクジェット式記録装置は、大略で、記録紙などの被記録媒体（被噴射媒体）を搬送するための被記録媒体搬送手段と、被記録媒体に液体であるインクを噴射（吐出）して記録を実行する記録実行手段（液体噴射実行手段）と、被記録媒体を排出する被記録媒体排出手段とを備え、前記記録実行手段は記録ヘッド（液体噴射ヘッド）を搭載しインクカートリッジ（液体カートリッジ）が装着される被装着部を有するキャリッジと、該キャリッジを被記録媒体搬送方向と直交する主走査方向に往復動させるキャリッジ駆動手段とを備えて構成されている。
【０００３】
そして、前記キャリッジは、その被装着部にインクカートリッジが装着されることにより当該インクカートリッジ内のインクが前記記録ヘッドから吐出（噴射）可能となるように構成されている。カラーの記録装置におけるキャリッジの被装着部には、カラーインク用のインクカートリッジと黒インク用のインクカートリッジと言ったように２個以上のインクカートリッジを装着するように構成されているが、これらの２個以上の各インクカートリッジは、一個ずつ前記被装着部内の決められた対応する２個以上の個別装着位置に装着する構造になっている。
【０００４】
【発明が解決しようとする課題】
キャリッジの被装着部における前記２個以上の個別装着位置が、総てのインクカートリッジに対して、その装着の際の操作面に向かって一様に対向する構造であれば、従来の各インクカートリッジ一個ずつの装着構造でも、特に不都合はない。しかし、そうではない場合、すなわち、キャリッジの被装着部の前記個別装着位置が、２個以上の各インクカートリッジの装着操作面に対して手前であったり、奥側であったりというように一様に対向していない構造の記録装置になると、各カートリッジを一個づつ被装着部に装着する構造では、装着し易いものと装着し難いものとのバラツキが生じ、安定且つ確実に装着することが、簡単ではなくなるという問題があった。
【０００５】
本明の目的は、キャリッジの被装着部における各液体カートリッジに対応する個別装着位置が、２個以上の各液体カートリッジの装着操作面に対して一様に対向していない構造であっても、その装着を安定且つ確実に行うことができる液体噴射装置および該装置に用いられる液体カートリッジ用アダプタを提供することにある。
【０００６】
【課題を解決するための手段】
上記課題を達成するため、本発明の第１の態様に係る液体噴射装置は、被噴射媒体に液体噴射を実行する液体噴射実行手段を備え、該液体噴射実行手段は、液体噴射ヘッドを搭載し液体カートリッジが装着される被装着部を有するキャリッジと、該キャリッジを往復動させるキャリッジ駆動手段とを備え、前記キャリッジは、その被装着部に液体カートリッジが装着されることにより当該液体カートリッジ内の液体が前記液体噴射ヘッドから噴射可能となるように構成されて成る液体噴射装置であって、２個以上の液体カートリッジをその対応するそれぞれの位置に装着可能に構成された単一の液体カートリッジ用アダプタに装着保持された状態で、当該２個以上の液体カートリッジをキャリッジの前記被装着部に装着するように構成されていることを特徴とする。
【０００７】
本発明によれば、２個以上の液体カートリッジをその対応するそれぞれの位置に装着可能に構成された単一の液体カートリッジ用アダプタに装着保持された状態で、当該２個以上の液体カートリッジをキャリッジの前記被装着部に装着するように構成されているので、すなわち単一の液体カートリッジ用アダプタによって、２個以上の液体カートリッジが一体化されて単一化されるので、キャリッジの被装着部における各液体カートリッジに対応する個別装着位置が、２個以上の各液体カートリッジの装着操作面に対して一様に対向していない構造であっても、その装着を安定且つ確実に行うことができる。
【０００８】
また、本発明の第２の態様に係る液体噴射装置は、前記第１の態様において、液体カートリッジ用アダプタに装着保持された２個以上の液体カートリッジのキャリッジへの装着は、キャリッジ移動方向における一端側となる装置本体正面に設けられた開口部側に該キャリッジを位置させた状態で、該開口部からその奥に向かって挿入する動作を経て行われるように構成されていると共に、該２個以上の液体カートリッジは、一つが手前に位置し、その他はその奥側に順次位置する配置で装着される構成であることを特徴とするものである。
本発明は、２個以上の液体カートリッジが、その一つが操作面の手前側に位置し、その他はその奥側に順次位置する配置で装着される構成の液体噴射装置に適用することで、特に顕著な作用効果が得られる。
【０００９】
また、本発明の第３の態様に係る液体噴射装置は、前記第２の態様において、キャリッジの前記被装着部は、液体カートリッジ用アダプタに装着保持された２個以上の液体カートリッジが、前記開口部側に該キャリッジを位置させた状態で、該開口部からその奥に向かって挿入した位置から該挿入方向と交差する方向に移動した位置にあることを特徴とする。
【００１０】
本発明によれば、キャリッジの前記被装着部は、液体カートリッジ用アダプタに装着保持された２個以上の液体カートリッジが、前記開口部側に該キャリッジを位置させた状態で、該開口部からその奥に向かって挿入した位置から該挿入方向と交差する方向に移動した位置にある構成の液体噴射装置に適用することで、特に顕著な作用効果が得られる。
【００１１】
また、本発明の第４の態様に係る液体噴射装置は、前記第２の態様または第３の態様において、前記キャリッジは、液体カートリッジ用アダプタに装着保持された２個以上の液体カートリッジが前記開口部側に該キャリッジを位置させた状態で、該開口部から挿入された状態で前記被装着部の方にスライド移動可能に形成され、該被装着部へのスライド移動動作および装着完了動作は、当該キャリッジが備える移動・装着装置によって行われるように構成されていることを特徴とする。
【００１２】
本発明によれば、前記キャリッジは、液体カートリッジ用アダプタに装着保持された２個以上の液体カートリッジが前記開口部側に該キャリッジを位置させた状態で、該開口部から挿入された状態で前記被装着部の方にスライド移動可能に形成され、該被装着部へのスライド移動動作および装着完了動作は、当該キャリッジが備える移動・装着装置によって行われるように構成されているので、ユーザーは、液体カートリッジ用アダプタを前記開口部から挿入するだけで、当該キャリッジが備える移動・装着装置によって前記被装着部へのスライド移動動作および装着完了動作がおこなわれるので、安定且つ確実に装着することができる。
【００１３】
また、本発明の第５の態様に係る液体噴射装置は、前記第４の態様において、前記被装着部に液体供給針が立設され、液体カートリッジは当該液体カートリッジの液体出口部が前記液体供給針に差し込まれるように前記被装着部に押し付けられることにより、該被装着部への装着が完了する構成であることを特徴とするものである。
【００１４】
本発明によれば、前記被装着部に液体供給針が立設され、液体カートリッジは当該液体カートリッジの液体出口部が前記液体供給針に差し込まれるように前記被装着部に押し付けられることにより、該被装着部への装着が完了する構成の液体噴射装置に適用することで、特に顕著な作用効果が得られる。
【００１５】
また、本発明の第６の態様に係る液体噴射装置は、前記第４の態様または第５の態様において、前記移動・装着装置は、一つの操作レバーをスライドさせることによって、先ず液体カートリッジ用アダプタに装着保持された２個以上の液体カートリッジを前記被装着部の方にスライド移動させるスライド移動部が作動し、次いで前記液体カートリッジを弾性的に押圧して被装着部への装着を完了させる弾性押圧部が作動する構成であることを特徴とする。
【００１６】
本発明によれば、一つの操作レバーをスライドさせることによって、先ず液体カートリッジ用アダプタに装着保持された２個以上の液体カートリッジを前記被装着部の方にスライド移動させるスライド移動部が作動し、次いで前記液体カートリッジを弾性的に押圧して被装着部への装着を完了させる弾性押圧部が作動する構成であるので、装着操作が操作レバーの一操作で足り、簡単であると共に、前記弾性押圧部によって、液体カートリッジは当該液体カートリッジの液体出口部が前記液体供給針に差し込まれるので、柔軟性をもって前記針の差し込みが行われることになり、設計及び製造上の寸法精度を高く要求されないで済み安価にできる。
【００１７】
また、本発明の第７の態様に係る液体カートリッジ用アダプタは、前記第１の態様から第６の態様のいずれか１に記載された液体カートリッジ用アダプタであることを特徴とする。本発明に係る液体カートリッジ用アダプタを用いることにより、第１の多様乃至第５の態様のいずれかの作用効果が簡単に得られる。
【００１８】
【発明の実施の形態】
以下、本願発明に係る液体噴射装置の一実施の形態を図面に基づいて説明する。まず、本願発明に係る「液体噴射装置」一例であるインクジェット式記録装置について説明する。図１は、本願発明に係るインクジェット式記録装置の概略の正面図であり、図２は、同インクジェット式記録装置の上蓋を外した状態の概略の平面図であり、図３は同インクジェット式記録装置の給紙トレイを引き出した状態の斜視図であり、図４は同給紙トレイを単独で示す斜視図であり、（Ａ）は被噴射媒体（被記録媒体）である用紙がセットされていない状態を示し、（Ｂ）は用紙がセットされた状態を示す。図５は同インクジェット式記録装置の排紙トレイを引き出した状態の斜視図であり、図６は同インクジェット式記録装置の一部省略及び要部概略の正面図である。
【００１９】
インクジェット式記録装置５０には、記録用紙Ｐ（被噴射媒体）に記録を実行する記録実行手段（液体噴射実行手段）の主たる構成要素として、主走査方向Ｘに往復動可能に軸支されたキャリッジ６１が設けられている。キャリッジ６１には、記録用紙Ｐにインク（液体）を吐出（噴射）して記録を行う記録ヘッド（液体噴射ヘッド）６２が搭載されている。また、キャリッジ６１にはカラーインクカートリッジ６ａ及びブラックインクカートリッジ６ｂが装着されている。記録ヘッド６２と対向して、記録ヘッド６２のヘッド面と記録用紙Ｐとのギャップを規定するプラテン５が設けられている。そして、キャリッジ６１とプラテン５の間に記録用紙Ｐを副走査方向Ｙに所定の搬送量で搬送する動作と、記録ヘッド６２を主走査方向Ｘに一往復させる間に記録ヘッド６２から記録用紙Ｐにインクを噴射する動作とを交互に繰り返すことによって記録用紙Ｐに記録が行われる。
【００２０】
給紙トレイ５１は、前面から符号Ａで示した方向に引き出すことが可能な構成になっている。引き出した給紙トレイ５１に記録用紙Ｐを積重してから給紙トレイ５１を押し入れることでインクジェット式記録装置５０に記録用紙Ｐをセットすることができる。給紙トレイ５１の底部には、給紙トレイ５１に積重された記録用紙Ｐを反転用給紙ローラ５２の周面に付勢するためのホッパー５１１が配設されている。反転用給紙ローラ５２は、モータ等の回転駆動力源からの回転が伝達されて回転し、反転用給紙ローラ５２に付勢された給紙トレイ５１内の記録用紙Ｐを符号Ｂで示した方向に引っ張り出す。給紙トレイ５１から引っ張り出された記録用紙Ｐは、給紙経路に配設された従動ローラ５２２及び従動ローラ５２３と反転用給紙ローラ５２との間に挟持された状態で、さらに反転用給紙ローラ５２が回転することによって、反転用給紙ローラ５２の周面に沿って形成されている給紙経路を介して反転され、記録用紙Ｐの先端が搬送駆動ローラ５３へ到達するまで副走査方向Ｙへと送られる。
【００２１】
記録用紙Ｐを副走査方向Ｙに搬送する記録用紙搬送手段として、搬送駆動ローラ５３と搬送従動ローラ５４が設けられている。搬送駆動ローラ５３は、ステッピング・モータ等の回転駆動力により回転制御され、搬送駆動ローラ５３の回転により、記録用紙Ｐは副走査方向Ｙに搬送される。搬送従動ローラ５４は、複数設けられており、それぞれ個々に搬送従動ローラホルダ５４１に軸支された状態で搬送駆動ローラ５３に付勢され、記録用紙Ｐが搬送駆動ローラ５３の回転により搬送される際に、記録用紙Ｐに接しながら記録用紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録用紙Ｐは、その表面の摩擦抵抗によって搬送駆動ローラ５３の表面に密着し、搬送駆動ローラ５３の回転によって副走査方向Ｙに搬送される。
【００２２】
一方、記録された記録用紙Ｐを排紙トレイ７１へ排出する手段として、排出駆動ローラ５５と排出従動ローラ５６が設けられている。排出駆動ローラ５５は、ステッピング・モータ等の回転駆動力により回転制御され、排出駆動ローラ５５の回転により、印刷用紙Ｐは副走査方向Ｙに排出される。排出従動ローラ５６は、周囲に複数の歯を有し、各歯の先端が記録用紙Ｐの記録面に点接触するように鋭角的に尖っている歯付きローラになっている。複数の排出従動ローラ５６は、それぞれ個々に排出駆動ローラ５５に付勢され、記録用紙Ｐが排出駆動ローラ５５の回転により排出される際に記録用紙Ｐに接して記録用紙Ｐの排出に従動して回転する。排紙トレイ７１は、給紙トレイ５１と同様に前面に引き出す（符号Ａで示した方向）ことが可能に配設されており、排紙トレイ７１に排出された記録後の記録用紙Ｐを取り出すことができるようになっている。
【００２３】
インクジェット式記録装置５０の背面側（図３においては、向かって左側）には、いわゆる紙ジャム等で記録用紙Ｐが詰まった場合等に、インクジェット式記録装置５０の内部にアクセスするためのメンテナンス用の開閉扉１１が設けられており、開閉扉１１は、開閉操作部１３を操作することで開閉可能な構成を成している。
【００２４】
以上、本発明の実施の形態であるインクジェット式記録装置の概略構成を説明したが、本発明は、キャリッジへのインクカートリッジの装着の仕方に特徴があり、以下その特徴的構成について説明する。
図７は、本発明の一実地の形態に係るインクジェット式記録装置の正面図であり、図８は同装置に用いられるキャリッジの平面図であり、図９は同キャリッジの正面図であり、図１０は同キャリッジの右側面図である。
図１１は同キャリッジにインクカートリッジ用アダプタに装着保持された２個のインクカートリッジが装置本体正面に設けられた開口部から挿入された状態の平面図であり、図１２は同キャリッジの正面図であり、図１３は同キャリッジの右側面図である。
図１４は同キャリッジにインクカートリッジ用アダプタに装着保持された２個のインクカートリッジが挿入された状態で被装着部の方にスライド移動した状態の平面図であり、図１５は同キャリッジの正面図であり、図１６は同キャリッジの右側面図である。
図１７は同キャリッジにインクカートリッジ用アダプタに装着保持された２個のインクカートリッジが被装着部の方にスライド移動した状態で弾性押圧部によって押圧して被装着部への装着を完了した状態の平面図であり、図１８は同キャリッジの正面図、図１９は同キャリッジの右側面図であり、図２０は要部の動きを説明する説明図である。
【００２５】
本発明に係るインクジェット式記録装置は、記録用紙（被噴射媒体）Ｐにインクを吐出して記録を実行する記録実行部（液体噴射実行手段）１を備え、該記録実行部１は、記録ヘッド（液体噴射ヘッド）６２を搭載し、インクカートリッジ（液体カートリッジ）６ａ，６ｂが装着される被装着部２を有するキャリッジ６１と、該キャリッジ６１を主走査方向Ｘに往復動させるキャリッジ駆動装置３とを備えている。
【００２６】
キャリッジ駆動装置３は、本実施の形態では、駆動モータ４と、該モータ４によって回動する無端ベルト６と、該無端ベルト６の両端を軸支するプーリ（図示せず）と、キャリッジガイド軸（図示せず）とを主な構成要素として備えて成り、当該キャリッジ６１は、前記無端ベルト６にその一部において取り付けられ、無端ベルト６の回動によって当該キャリッジ６１が前記キャリッジガイド軸にガイドされて往復動するようになっている。そして、前記キャリッジ６１は、その被装着部２にインクカートリッジ６ａ，６ｂが装着されることにより当該インクカートリッジ６ａ，６ｂ内のインクが前記記録ヘッド６２から噴射可能となるように構成されている。
【００２７】
このようなインクジェット式記録装置において、本実施の形態では、２個インクカートリッジ６ａ，６ｂをその対応するそれぞれの位置に装着可能に構成された単一の液体カートリッジ用アダプタ８に装着保持された状態で、当該２個のインクカートリッジ６ａ，６ｂをキャリッジ６１の前記被装着部２に装着するように構成されている。この液体カートリッジ用アダプタ８については後述する。
【００２８】
本実施の形態では、図２、図７及び図１１に示したように、液体カートリッジ用アダプタ８に装着保持された２個のインクカートリッジ６ａ，６ｂのキャリッジ６１への装着は、キャリッジ６１の移動方向における一端側となる装置本体正面に設けられた開口部９側に該キャリッジ６１を位置させた状態で、該開口部９からその奥に向かって挿入する動作を経て行われるように構成されている。そして、図７に示したように、該２個のインクカートリッジ６ａ，６ｂは、一方のインクカートリッジ６ｂが手前に位置し、他のインクカートリッジ６ａはその奥側に位置する配置で装着される構成である。図１２において符号１００はキャリッジ６１に形成された溝を示す。また、符号１０１及び１０２は液体カートリッジ用アダプタ８に設けられた突部を示し、突部１０１は前記溝１００に、また、突部１０２は後述するスライダ４７にガイドされ、これらのガイドにより、液体カートリッジ用アダプタ８に装着保持された２個のインクカートリッジ６ａ，６ｂのキャリッジ６１への装着がし易くなっている。
【００２９】
図１４に示したように、当該キャリッジ６１の前記被装着部２は、液体カートリッジ用アダプタ８に装着保持された２個のインクカートリッジ６ａ，６ｂが、前記開口部９側に該キャリッジ６１を位置させた状態で、該開口部９からその奥に向かって挿入した位置から該挿入方向と交差する方向に移動した位置にある。
【００３０】
更に、当該キャリッジ６１は、液体カートリッジ用アダプタ８に装着保持された２個のインクカートリッジ６ａ，６ｂが前記開口部９側に該キャリッジ６１を位置させた状態で、該開口部９から挿入された状態で前記被装着部２の方にスライド移動可能に形成されている（図１４）。そして、該被装着部２へのスライド移動動作および装着完了動作は、当該キャリッジ６１が備える移動・装着装置１０によって行われるように構成されている。
【００３１】
当該実施の形態では、前記被装着部２に液体供給針２０が立設され、インクカートリッジ６ａ，６ｂは，当該インクカートリッジ６ａ，６ｂの液体出口部２１が、前記液体供給針２０に差し込まれるように前記被装着部２に押し付けられることにより、該被装着部２への装着が完了するように構成されている。
【００３２】
前記移動・装着装置１０は、具体的には、一つの操作レバー２２をスライドさせることによって、先ず液体カートリッジ用アダプタ８に装着保持された２個のインクカートリッジ６ａ，６ｂを前記被装着部２の方にスライド移動させるスライド移動部１０ａが作動し、次いで前記インクカートリッジ６ａ，６ｂを弾性的に押圧して被装着部２への装着を完了させる弾性押圧部１０ｂが作動するように構成されている。
【００３３】
当該移動・装着装置１０のスライド移動部１０ａと弾性押圧部１０ｂについて、その構造と動作を更に詳しく説明する。先ずスライド移動部１０ａについて説明する。操作レバー２２を図１１の状態（位置）からユーザーが操作部２２ａを持って同図の右方向に少しスライドさせると、ラックピニオン構造を介して歯車４０が回動する。該歯車４０の回動により歯合する歯車４１が回動すると共にシャフト４２を介して他端側の歯車４３も回動する。この歯車４３の回動により歯合する歯車４４が回動し、該歯車４４の回動によってラックピニオン構造を介してラック４５が同図の右方向にスライドする。ラック４５のスライドによりラックピニオン構造を介して歯車４６が回動する。歯車４６の回動によりラックピニオン構造を介してスライダ４７が同図の左方向に移動する。このスライダ４７の移動により、液体カートリッジ用アダプタ８に装着保持された２個のインクカートリッジ６ａ，６ｂが図１１の位置から図１４に示した位置まで、すなわち被装着部２の位置まで移動する。
【００３４】
続いて、弾性押圧部１０ｂについて説明する。操作レバー２２を図１４の状態（位置）からユーザーが操作部２２ａを持って同図の右方向に更にスライドさせると、ラックピニオン構造を介して歯車４０が更に回動する。該歯車４０の回動により歯合する歯車５０が回動する。この歯車５０の回動をその部分だけ取り出して示したのが図２０であり、歯車５０は（Ａ）の状態から（Ｂ）の状態まで回動する。これによりばね５１を介してカバー５２が回動する。
もう一系列、操作レバー２２を図１４の状態（位置）からユーザーが操作部２２ａを持って同図の右方向に少しスライドさせると、ラックピニオン構造を介して歯車４０が回動する。該歯車４０の回動により歯合する歯車４１が回動すると共にシャフト４２を介して他端側の歯車４３も回動する。この歯車４３の回動により歯合する歯車４４が回動し、該歯車４４の回動によって歯合する歯車５３が回動する。この歯車５３の回動によりばね５４を介してカバー５２が回動する。
このカバー５２の回動によって、インクカートリッジ６ａ，６ｂは弾性的に押圧され、その液体出口部２１に前記液体供給針が差し込まれ、被装着部２への装着が完了する。
【００３５】
インクカートリッジ６ａ，６ｂをキャリッジ６１の被装着部２から外して交換等する場合は、前記操作レバー２２を図１７の状態（位置）から、図１１の状態（位置）まで戻せば、インクカートリッジ６ａ，６ｂは、液体カートリッジ用アダプタ８に装着された状態で、前記開口部９から取り出し可能となる位置まで戻される。
【００３６】
図２１は、本発明の一実施の形態に係る液体カートリッジ用アダプタ８に２個のインクカートリッジ９ａ，９ｂを装着する前の状態の正面図であり、図２２は同インクカートリッジ用アダプタ８に２個のインクカートリッジ６ａ，６ｂを装着した状態の平面図であり、図２３は同正面図であり、図２４は同右側面図である。当該液体カートリッジ用アダプタ８は、２個のインクカートリッジ６ａ，６ｂをその対応するそれぞれの位置に装着可能に構成されている。本実施の形態では、ツメ部９０によってインクカートリッジ６ａ，６ｂはスナップフィット状態で当該アダプタ８に落下しないように保持されるようになっている。
【００３７】
図２５は本発明の他の実施の形態に係るインクカートリッジ用アダプタに２個のインクカートリッジを装着する前の状態の正面図であり、図２６は同インクカートリッジ用アダプタに２個のインクカートリッジを装着した状態の平面図であり、図２７は同正面図であり、図２８は同右側面図である。図２１の実施の形態ではインクカートリッジ６ａ，６ｂは、前記アダプタ８の上面から装着される構造であるが、本実施の形態は当該アダプタ８の側面から装着するように構成されている。また、ツメ部９０の位置が先の例と異なるが、本質的な違いはない。従って当該アダプタ８の構造として、これらのものに限定されないことは勿論である。
【００３８】
次に、作用を説明する。本実施の形態によれば、２個以上のインクカートリッジ６ａ，６ｂをその対応するそれぞれの位置に装着可能に構成された単一の液体カートリッジ用アダプタ８に装着保持された状態で、当該２個以上のインクカートリッジ６ａ，６ｂをキャリッジ６１の前記被装着部２に装着するように構成されているので、すなわち単一の液体カートリッジ用アダプタ８によって、２個以上のインクカートリッジ６ａ，６ｂが一体化されて単一化されるので、キャリッジ６１の被装着部２における各インクカートリッジ６ａ，６ｂに対応する個別装着位置が、２個以上の各インクカートリッジ６ａ，６ｂの装着操作面に対して一様に対向していない構造であっても、その装着を安定且つ確実に行うことができる。
【００３９】
また、２個以上の液体カートリッジ６ａ，６ｂが、その一つが操作面の手前側に位置し、その他はその奥側に順次位置する配置で装着される構成のインクジェット式記録装置においては、特に顕著な作用効果が得られる。
また、キャリッジ６１の前記被装着部２は、液体カートリッジ用アダプタ８に装着保持された２個以上のインクカートリッジ６ａ，６ｂが、前記開口部９側に該キャリッジ６１を位置させた状態で、該開口部９からその奥に向かって挿入した位置から該挿入方向と交差する方向に移動した位置にあるインクジェット式記録装置に適用することで、特に顕著な作用効果が得られる。
【００４０】
また、前記キャリッジ６１は、液体カートリッジ用アダプタ８に装着保持された２個以上のインクカートリッジ６ａ，６ｂが前記開口部９側に該キャリッジ６１を位置させた状態で、該開口部９から挿入された状態で前記被装着部２の方にスライド移動可能に形成され、該被装着部２へのスライド移動動作および装着完了動作は、当該キャリッジが備える移動・装着装置１０によって行われるように構成されているので、ユーザーは、液体カートリッジ用アダプタ８を前記開口部９から挿入するだけで、当該キャリッジ６１が備える移動・装着装置１０によって前記被装着部２へのスライド移動動作および装着完了動作がおこなわれるので、安定且つ確実に装着することができる。
【００４１】
また、前記被装着部２に液体供給針２０が立設され、インクカートリッジ６ａ，６ｂは当該インクカートリッジ６ａ，６ｂの液体出口部２１が前記液体供給針２０に差し込まれるように前記被装着部２に押し付けられることにより、該被装着部２への装着が完了する構成のインクジェット式記録装置に適用することで、特に顕著な作用効果が得られる。
【００４２】
また更に、一つの操作レバー２２をスライドさせることによって、先ず液体カートリッジ用アダプタ８に装着保持された２個以上のインクカートリッジ６ａ，６ｂを前記被装着部２の方にスライド移動させるスライド移動部１０ａが作動し、次いで前記インクカートリッジ６ａ，６ｂを弾性的に押圧して被装着部２への装着を完了させる弾性押圧部１０ｂが作動する構成であるので、装着操作が操作レバー２２の一操作で足り、簡単であると共に、前記弾性押圧部１０ｂによって、インクカートリッジ６ａ，６ｂは当該インクカートリッジの液体出口部２１が前記液体供給針２０に差し込まれるので、柔軟性をもって前記針２０の差し込みが行われることになり、設計及び製造上の寸法精度を高く要求されないで済み安価にできる。
【００４３】
尚、本願発明は上記実施例に限定されることなく、特許請求の範囲に記載した発明の範囲内で、種々の変形が可能であり、それらも本願発明の範囲内に含まれるものであることは言うまでもない。
【図面の簡単な説明】
【図１】本願発明に係るインクジェット式記録装置の概略の正面図。
【図２】同インクジェット式記録装置の上蓋を外した状態の概略平面図。
【図３】同記録装置の給紙トレイを引き出した状態の斜視図。
【図４】同給紙トレイを単独で示す斜視図で、（Ａ）用紙がセットされていない状態を示し、（Ｂ）は用紙がセットされた状態を示す。
【図５】同記録装置の排紙トレイを引き出した状態の斜視図。
【図６】同インクジェット式記録装置の一部省略及び要部概略の正面図。
【図７】本発明の実施の形態に係る同記録装置の正面図。
【図８】同装置に用いられるキャリッジの平面図。
【図９】同キャリッジの正面図。
【図１０】同キャリッジの右側面図。
【図１１】同キャリッジにインクカートリッジが開口部から挿入された状態の平面図。
【図１２】同キャリッジの正面図。
【図１３】同キャリッジの右側面図。
【図１４】同キャリッジにインクカートリッジが挿入された状態で被装着部の方にスライド移動した状態の平面図。
【図１５】同キャリッジの正面図。
【図１６】同キャリッジの右側面図。
【図１７】同インクカートリッジが被装着部の方にスライド移動した状態で弾性押圧部によって押圧して被装着部への装着を完了した状態の平面図。
【図１８】同キャリッジの正面図。
【図１９】同キャリッジの右側面図。
【図２０】同要部の動きを説明する説明図。
【図２１】実施の形態に係る液体カートリッジ用アダプタの装着前の状態の正面図。
【図２２】同インクカートリッジ用アダプタに装着した状態の平面図。
【図２３】同正面図。
【図２４】同右側面図。
【図２５】他の実施の形態に係る液体カートリッジ用アダプタに装着する前の状態の正面図。
【図２６】同液体カートリッジ用アダプタに装着した状態の平面図。
【図２７】同正面図。
【図２８】同右側面図。
【符号の説明】
１　記録実行部、　２　被装着部、　３　キャリッジ駆動装置、６ａ，６ｂ　インクカートリッジ、　８　液体カートリッジ用アダプタ、　９　開口部、　１０　移動・装着装置、　１０ａ　スライド移動部、　１０ｂ　弾性押圧部、　２０　液体供給針、　２１　液体出口部、　２２　操作レバー　５１，５４　ばね、　５２　カバー、　６１　キャリッジ
【図１】
2004090449.tif 000003
【図２】
2004090449.tif 000004
【図３】
2004090449.tif 000005
【図４】
2004090449.tif 000006
【図５】
2004090449.tif 000007
【図６】
2004090449.tif 000008
【図７】
2004090449.tif 000009
【図８】
2004090449.tif 000010
【図９】
2004090449.tif 000011
【図１０】
2004090449.tif 000012
【図１１】
2004090449.tif 000013
【図１２】
2004090449.tif 000014
【図１３】
2004090449.tif 000015
【図１４】
2004090449.tif 000016
【図１５】
2004090449.tif 000017
【図１６】
2004090449.tif 000018
【図１７】
2004090449.tif 000019
【図１８】
2004090449.tif 000020
【図１９】
2004090449.tif 000021
【図２０】
2004090449.tif 000022
【図２１】
2004090449.tif 000023
【図２２】
2004090449.tif 000024
【図２３】
2004090449.tif 000025
【図２４】
2004090449.tif 000026
【図２５】
2004090449.tif 000027
【図２６】
2004090449.tif 000028
【図２７】
2004090449.tif 000029
【図２８】
2004090449.tif 000030